【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
複数の所定の画像が動画像の上に重なり且つ前記動画像の一部を隠すように、前記複数の所定の画像及び前記動画像を画面に表示するステップと、
前記動画像中の特定対象物が前記複数の所定の画像の内のいずれかの表示領域内に位置するか判定する判定ステップと、
前記特定対象物が前記複数の所定の画像の内の第１の画像の表示領域内に位置すると判定された場合に、前記特定対象物が前記第１の画像の表示領域内に位置することを視認できるように、前記第１の画像と前記動画像を所定の合成比率でブレンドして表示する合成表示ステップと、
を有することを特徴とする画像表示方法。
【請求項２】
前記複数の所定の画像と前記動画像とを互いに重ならないように画面に表示するステップと、
前記動画像から前記特定対象物を検出するステップと、
前記動画像から前記特定対象物が検出された場合に、前記特定対象物によって前記複数の所定の画像の表示領域中の特定の位置を示すことができるように、前記複数の所定の画像が前記動画像の上に重なり且つ前記動画像の一部を隠すように、前記複数の所定の画像の表示領域の位置と前記動画像を表示する動画像表示領域の位置との関係を調整するステップと、をさらに有することを特徴とする請求項１に記載の画像表示方法。
【請求項３】
前記合成表示ステップにおいて、前記特定対象物に対する前記第１の画像の合成比率を、前記特定対象物を除く部分に対する前記第１の画像の合成比率よりも小さくすることを特徴とする請求項１又は２に記載の画像表示方法。
【請求項４】
請求項１〜３のいずれかに記載の画像表示方法の各ステップを画像表示装置に実行させることを特徴とするプログラム。
【請求項５】
表示部と、
複数の所定の画像が動画像の上に重なり且つ前記動画像の一部を隠すように、前記複数の所定の画像及び前記動画像を表示する信号を生成し前記表示部に出力する表示合成部と、
前記動画像中の特定対象物を検出する検出部と、
前記動画像中の特定対象物が前記複数の所定の画像の内のいずれかの表示領域内に位置するか判定する判定部と、を備え、
前記特定対象物が前記複数の所定の画像の内の第１の画像の表示領域内に位置すると判定された場合に、前記特定対象物が前記第１の画像の表示領域内に位置することを視認できるように、前記表示合成部は、前記第１の画像と前記動画像を所定の合成比率でブレンドして表示するための信号を生成することを特徴とする画像表示装置。
【請求項６】
前記画像表示装置は、さらに、他の画像表示装置から、ネットワークを介して前記所定の画像及び前記動画像を受信する受信部を有することを特徴とする請求項５に記載の画像表示装置。
【請求項７】
前記画像表示装置は、さらに、他の画像表示装置に対して、ネットワークを介して前記所定の画像及び前記動画像を送信する送信部を有することを特徴とする請求項５に記載の画像表示装置。
【請求項８】
請求項５に記載の画像表示装置と、撮像デバイスと、
を有し、前記動画像は前記撮像デバイスから取り込まれる映像であることを特徴とする画像表示システム。
【請求項９】
ネットワークを介して接続された第１の画像表示装置と第２の画像表示装置からなるコミュニケーションシステムで実行される画像表示方法であって、
前記第１の画像表示装置が、前記ネットワークを介して、複数の所定の画像及び動画像を前記第２の画像表示装置に送信するステップを実行し、
前記第１及び第２の画像表示装置がそれぞれ、
前記複数の所定の画像が前記動画像の上に重なり且つ前記動画像の一部を隠すように、前記複数の所定の画像及び前記動画像を画面に表示するステップと、
前記動画像中の特定対象物が前記複数の所定の画像の内のいずれかの表示領域内に位置するか判定する判定ステップと、
前記特定対象物が前記複数の所定の画像の内の第１の画像の表示領域内に位置すると判定された場合に、前記特定対象物が前記第１の画像の表示領域内に位置することを視認できるように、前記第１の画像と前記動画像を所定の合成比率でブレンドして表示する合成表示ステップと、
を実行し、
前記第１及び第２の画像表示装置の両方に、前記第１の画像と前記動画像がブレンドされた合成画像が表示されることを特徴とする画像表示方法。
【請求項１０】
ネットワークを介して接続された第１の画像表示装置と第２の画像表示装置からなるコミュニケーションシステムで実行される画像表示方法であって、
前記第１の画像表示装置が、
複数の所定の画像が動画像の上に重なり且つ前記動画像の一部を隠すように、前記複数の所定の画像及び前記動画像を画面に表示するステップと、
前記動画像中の特定対象物が前記複数の所定の画像の内のいずれかの表示領域内に位置するか判定する判定ステップと、
前記特定対象物が前記複数の所定の画像の内の第１の画像の表示領域内に位置すると判定された場合に、前記特定対象物もしくは該特定対象物が前記第１の画像の表示領域内に位置することを視認できるように、前記第１の画像と前記動画像を所定の合成比率でブレンドして表示する合成表示ステップと、
前記第１の画像と前記動画像を所定の合成比率でブレンドして表示するための信号を、前記ネットワークを介して、前記第２の画像表示装置に送信するステップと、
を実行し、
前記第１及び第２の画像表示装置の両方に、前記第１の画像と前記動画像がブレンドされた合成画像が表示されることを特徴とする画像表示方法。
【手続補正２】
【補正対象書類名】明細書
【補正対象項目名】０００８
【補正方法】変更
【補正の内容】
【０００８】
本発明の第１は、複数の所定の画像が動画像の上に重なり且つ前記動画像の一部を隠すように、前記複数の所定の画像及び前記動画像を画面に表示するステップと、前記動画像中の特定対象物が前記複数の所定の画像の内のいずれかの表示領域内に位置するか判定する判定ステップと、前記特定対象物が前記複数の所定の画像の内の第１の画像の表示領域内に位置すると判定された場合に、前記特定対象物が前記第１の画像の表示領域内に位置することを視認できるように、前記第１の画像と前記動画像を所定の合成比率でブレンドして表示する合成表示ステップと、を有することを特徴とする。
【手続補正３】
【補正対象書類名】明細書
【補正対象項目名】０００９
【補正方法】変更
【補正の内容】
【０００９】
本発明の第２は、表示部と、複数の所定の画像が動画像の上に重なり且つ前記動画像の一部を隠すように、前記複数の所定の画像及び前記動画像を表示する信号を生成し前記表示部に出力する表示合成部と、前記動画像中の特定対象物を検出する検出部と、前記動画像中の特定対象物が前記複数の所定の画像の内のいずれかの表示領域内に位置するか判定する判定部と、を備え、前記特定対象物が前記複数の所定の画像の内の第１の画像の表示領域内に位置すると判定された場合に、前記特定対象物が前記第１の画像の表示領域内に位置することを視認できるように、前記表示合成部は、前記第１の画像と前記動画像を所定の合成比率でブレンドして表示するための信号を生成することを特徴とする画像表示装置である。
【手続補正４】
【補正対象書類名】明細書
【補正対象項目名】００１０
【補正方法】変更
【補正の内容】
【００１０】
本発明の第３は、ネットワークを介して接続された第１の画像表示装置と第２の画像表示装置からなるコミュニケーションシステムで実行される画像表示方法であって、前記第１の画像表示装置が、前記ネットワークを介して、複数の所定の画像及び動画像を前記第２の画像表示装置に送信するステップを実行し、
前記第１及び第２の画像表示装置がそれぞれ、前記複数の所定の画像が前記動画像の上に重なり且つ前記動画像の一部を隠すように、前記複数の所定の画像及び前記動画像を画面に表示するステップと、前記動画像中の特定対象物が前記複数の所定の画像の内のいずれかの表示領域内に位置するか判定する判定ステップと、前記特定対象物が前記複数の所定の画像の内の第１の画像の表示領域内に位置すると判定された場合に、前記特定対象物が前記第１の画像の表示領域内に位置することを視認できるように、前記第１の画像と前記
動画像を所定の合成比率でブレンドして表示する合成表示ステップと、を実行し、前記第１及び第２の画像表示装置の両方に、前記第１の画像と前記動画像がブレンドされた合成画像が表示されることを特徴とする画像表示方法である。
本発明の第４は、ネットワークを介して接続された第１の画像表示装置と第２の画像表示装置からなるコミュニケーションシステムで実行される画像表示方法であって、前記第１の画像表示装置が、複数の所定の画像が動画像の上に重なり且つ前記動画像の一部を隠すように、前記複数の所定の画像及び前記動画像を画面に表示するステップと、前記動画像中の特定対象物が前記複数の所定の画像の内のいずれかの表示領域内に位置するか判定する判定ステップと、前記特定対象物が前記複数の所定の画像の内の第１の画像の表示領域内に位置すると判定された場合に、前記特定対象物もしくは該特定対象物が前記第１の画像の表示領域内に位置することを視認できるように、前記第１の画像と前記動画像を所定の合成比率でブレンドして表示する合成表示ステップと、前記第１の画像と前記動画像を所定の合成比率でブレンドして表示するための信号を、前記ネットワークを介して、前記第２の画像表示装置に送信するステップと、
を実行し、前記第１及び第２の画像表示装置の両方に、前記第１の画像と前記動画像がブレンドされた合成画像が表示されることを特徴とする画像表示方法である。